(57)【要約】【課題】支援ソフト、自宅の家計簿作成環境、携帯電話等の新規購入などの条件に左右されることなく、簡単に家計の支出を管理することができるレシート情報収集処理システムを提供すること。【解決手段】画像読み取り端末１０ａは、レシートに記載されている情報を読み取って、読み取ったレシートの情報をネットワーク３０を介してレシート情報管理サーバ４０に送信する。レシート情報管理サーバ４０は、画像読み取り端末１０ａから送信されたレシートの情報を顧客データベース５０に保持する。【選択図】        図１
2005092635.tif 000002
【特許請求の範囲】
【請求項１】
レシートに記載されている情報を読み取って、読み取ったレシートの情報をネットワークを介して送信する画像入力装置と、
この画像入力装置から送信されたレシートの情報を保持する記憶部を有するレシート情報管理サーバと、
を備えることを特徴とするレシート情報収集処理システム。
【請求項２】
前記画像入力装置を、前記レシートを発行する店舗に設置することを特徴とする請求項１に記載のレシート情報収集処理システム。
【請求項３】
前記画像入力装置は、
前記レシートに記載されている情報を画像情報として読み取り、
前記記憶部は、
前記画像情報を保持することを特徴とする請求項１または２に記載のレシート情報収集処理システム。
【請求項４】
前記画像入力装置は、
レシートに記載されている情報を画像情報として読み取り、読み取った画像情報から文字情報を抽出する画像処理部、
を備え、
前記画像処理部が抽出した文字情報をレシートの情報として送信し、
前記記憶部は、
前記文字情報を保持することを特徴とする請求項１または２に記載のレシート情報収集処理システム。
【請求項５】
前記画像入力装置は、
前記レシートに記載されている情報を画像情報として読み取り、読み取った画像情報をレシートの情報として送信し、
前記レシート情報管理サーバは、
前記画像入力装置から送信された画像情報から文字情報を抽出する画像処理部、
を備え、
前記記憶部は、
前記画像処理部が抽出した文字情報を保持することを特徴とする請求項１または２に記載のレシート情報収集処理システム。
【請求項６】
前記画像入力装置または前記レシート情報管理サーバは、
日時を計時する時計部、
をさらに備え、
前記記憶部は、
前記レシートの情報に対応して前記レシートの情報を入手した時間を保持することを特徴とする請求項１〜５の何れか一つに記載のレシート情報収集処理システム。
【請求項７】
前記画像入力装置は、
前記レシートの情報を読み取った場所を特定するための情報を前記レシートの情報とともに送信し、
前記記憶部は、
前記レシートの情報に対応して前記場所を特定するための情報を保持することを特徴とする請求項１〜６の何れか一つに記載のレシート情報収集処理システム。
【請求項８】
前記場所を特定するための情報は、
前記レシートの情報を読み取った場所、前記レシートが発行された店舗、前記画像入力装置を識別する情報の少なくとも１つであることを特徴とする請求項７に記載のレシート情報収集処理システム。
【請求項９】
前記画像入力装置は、
前記レシートが時装置が設置されている店舗で発行されたレシートであるかを判定する判定部、
をさらに備え、
前記判定部が、前記レシートが自装置が設置されている店舗で発行されたレシートであると判定した場合、前記レシートの情報を送信することを特徴とする請求項２に記載のレシート情報収集処理システム。
【請求項１０】
前記画像入力装置は、
前記読み取ったレシートの情報を表示する表示部、
をさらに備えたことを特徴とする請求項１〜９の何れか一つに記載のレシート情報収集処理システム。
【請求項１１】
前記画像入力装置は、
任意の情報を入力することができる入力部、
をさらに備え、
前記記憶部は、
前記レシートの情報に対応して前記入力部から入力された情報を保持することを特徴とする請求項１〜１０の何れか一つに記載のレシート情報収集処理システム。
【請求項１２】
前記ネットワークを介して前記レシート情報管理サーバと相互通信を行って、前記記憶部に保持されているレシートの情報の読み出しおよび変更する情報端末、
をさらに備えたことを特徴とする請求項１〜１１に記載のレシート情報収集処理システム。
【請求項１３】
前記レシート情報管理サーバは、
前記情報端末を操作しているユーザが自システムを使用可能であるかを確認する本人確認情報の入力を要求して、前記ユーザが自システムを使用可能であると判断した場合のみ、前記情報端末に前記記憶部に保持されている情報の読み出しおよび変更を許可することを特徴とする請求項１２に記載のレシート情報収集処理システム。
【発明の詳細な説明】
【技術分野】
【０００１】
本発明は、レシートの情報を収集して管理するレシート情報収集処理システムに関するものである。
【背景技術】
【０００２】
小遣い帳や家計簿をつけて金銭を管理する場合、商品購入時に入手するレシートの内容を手作業で記帳しなければならない。近年では、パーソナルコンピュータが普及し、パーソナルコンピュータの家計簿作成支援ソフトも流通している。しかし、家計簿作成支援ソフトを使用する場合でも、自宅に戻ってからパーソナルコンピュータの家計簿作成支援ソフトを起動した後、キーボードなどを用いてレシートの内容を手作業で入力しなければならない。そのため、レシートを紛失してしまうとそのレシートの内容を入力することができなくなってしまうという問題があった。
【０００３】
また、手作業で入力しなければならないため、入力するレシートの内容が多くなると転記、または入力ミスが発生して、正確な金銭管理が行えないという問題があった。
【０００４】
さらに、家計簿作成支援ソフトを使用する場合は、必ずその家計簿作成支援ソフトがインストールされたパーソナルコンピュータを使用する必要があり、たとえば、外出先等でのレシートの内容を入力することができず、帰宅後にまとめて入力しなければならないという問題もあった。
【０００５】
このような問題を改善するための従来技術として、特許文献１においては、スーパーマーケットのレジで商品の会計を行う際に、レシート情報を送信するレシート情報送信機の上に家計簿ソフトが搭載されている携帯電話を載せることで、店頭で瞬時に家計簿を作成するようにしている。
【０００６】
【特許文献１】特開２００２−２１５８８９号公報
【発明の開示】
【発明が解決しようとする課題】
【０００７】
しかしながら、携帯電話が保持できるデータ量は、パーソナルコンピュータに比べてはるかに少ない。そのため、上記従来技術では、長期間にわたる家計簿を保持することは難しい。携帯電話の通信機能により、家計簿の情報をパーソナルコンピュータなどに転送して保持することは可能であるが、この場合は、携帯電話に搭載されている家計簿ソフトがパーソナルコンピュータにも搭載されていなければならず、パーソナルコンピュータの環境に左右されてしまうという問題があった。
【０００８】
また、ユーザは、家計簿ソフトが搭載されている携帯電話を別途購入する必要があり、余計な費用が発生してしまうという問題があった。
【０００９】
本発明は、上記に鑑みてなされたものであって、支援ソフト、自宅の家計簿作成環境、携帯電話等の新規購入などの条件に左右されることなく、簡単に家計の支出を管理することができるレシート情報収集処理システムを得ることを目的とする。
【課題を解決するための手段】
【００１０】
上述した課題を解決し、目的を達成するために、請求項１にかかる発明は、レシートに記載されている情報を読み取って、読み取ったレシートの情報をネットワークを介して送信する画像入力装置と、この画像入力装置から送信されたレシートの情報を保持する記憶部を有するレシート情報管理サーバと、を備えることを特徴とする。
【００１１】
この請求項１にかかる発明によれば、画像入力装置がレシートに記載されている情報を読み取って、読み取ったレシートの情報を記憶部に保持するようにしている。
【００１２】
また、請求項２にかかる発明は、請求項１にかかるレシート情報収集処理システムにおいて、前記画像入力装置を、前記レシートを発行する店舗に設置することを特徴とする。
【００１３】
この請求項２にかかる発明によれば、画像入力装置をレシートを発行する店舗に設置するようにしている。
【００１４】
また、請求項３にかかる発明は、請求項１または２にかかるレシート情報収集処理システムにおいて、前記画像入力装置は、前記レシートに記載されている情報を画像情報として読み取り、前記記憶部は、前記画像情報を保持することを特徴とする。
【００１５】
この請求項３にかかる発明によれば、レシートの情報を画像情報で記憶部に保持するようにしている。
【００１６】
また、請求項４にかかる発明は、請求項１または２にかかるレシート情報収集処理システムにおいて、前記画像入力装置は、レシートに記載されている情報を画像情報として読み取り、読み取った画像情報から文字情報を抽出する画像処理部、を備え、前記画像処理部が抽出した文字情報をレシートの情報として送信し、前記記憶部は、前記文字情報を保持することを特徴とする。
【００１７】
この請求項４にかかる発明によれば、画像入力装置は、レシートに記載されている情報を画像情報として読み取り、読み取った画像情報から文字情報を抽出して、抽出した文字情報を記憶部に保持するようにしている。
【００１８】
また、請求項５にかかる発明は、請求項１または２にかかるレシート情報収集処理システムにおいて、前記画像入力装置は、前記レシートに記載されている情報を画像情報として読み取り、読み取った画像情報をレシートの情報として送信し、前記レシート情報管理サーバは、前記画像入力装置から送信された画像情報から文字情報を抽出する画像処理部、を備え、前記記憶部は、前記画像処理部が抽出した文字情報を保持することを特徴とする。
【００１９】
この請求項５にかかる発明によれば、画像入力装置は、レシートに記載されている情報を画像情報として読み取り、レシート情報管理サーバが、画像入力装置が読み取った画像情報から文字情報を抽出して、抽出した文字情報を記憶部に保持するようにしている。
【００２０】
また、請求項６にかかる発明は、請求項１〜５の何れか一つにかかるレシート情報収集処理システムにおいて、前記画像入力装置または前記レシート情報管理サーバは、日時を計時する時計部、をさらに備え、前記記憶部は、前記レシートの情報に対応して前記レシートの情報を入手した時間を保持することを特徴とする。
【００２１】
この請求項６にかかる発明によれば、レシートの情報に対応して、レシートの情報を入手した時間を記憶部に保持するようにしている。
【００２２】
また、請求項７にかかる発明は、請求項１〜６の何れか一つにかかるレシート情報収集処理システムにおいて、前記画像入力装置は、前記レシートの情報を読み取った場所を特定するための情報を前記レシートの情報とともに送信し、前記記憶部は、前記レシートの情報に対応して前記場所を特定するための情報を保持することを特徴とする。
【００２３】
この請求項７にかかる発明によれば、レシートの情報に対応して、レシート情報を読み取った場所を特定する情報を記憶部に保持するようにしている。
【００２４】
また、請求項８にかかる発明は、請求項７にかかるレシート情報収集処理システムにおいて、前記場所を特定するための情報は、前記レシートの情報を読み取った場所、前記レシートが発行された店舗、前記画像入力装置を識別する情報の少なくとも１つであることを特徴とする。
【００２５】
この請求項８にかかる発明によれば、レシートを読み取った場所を特定する情報はレシートの情報を読み取った場所、レシートが発行された店舗、画像入力装置を識別する情報の少なくとも１つとするようにしている。
【００２６】
また、請求項９にかかる発明は、請求項２にかかるレシート情報収集処理システムにおいて、前記画像入力装置は、前記レシートが時装置が設置されている店舗で発行されたレシートであるかを判定する判定部、をさらに備え、前記判定部が、前記レシートが自装置が設置されている店舗で発行されたレシートであると判定した場合、前記レシートの情報を送信することを特徴とする。
【００２７】
この請求項９にかかる発明によれば、取り扱うレシートは画像入力装置が設置されている店舗が発行したレシートに限定するようにしている。
【００２８】
また、請求項１０にかかる発明は、請求項１〜９の何れか一つにかかるレシート情報収集処理システムにおいて、前記画像入力装置は、前記読み取ったレシートの情報を表示する表示部、をさらに備えたことを特徴とする。
【００２９】
この請求項１０にかかる発明によれば、画像入力装置は、読み取ったレシートの情報を表示するようにしている。
【００３０】
また、請求項１１にかかる発明は、請求項１〜１０の何れか一つにかかるレシート情報収集処理システムにおいて、前記画像入力装置は、任意の情報を入力することができる入力部、をさらに備え、前記記憶部は、前記レシートの情報に対応して前記入力部から入力された情報を保持することを特徴とする。
【００３１】
この請求項１１にかかる発明によれば、画像入力装置から任意の情報を入力して、レシートの情報と対応して、入力した任意の情報を記憶部に保持するようにしている。
【００３２】
また、請求項１２にかかる発明は、請求項１〜１１の何れか一つにかかるレシート情報収集処理システムにおいて、前記ネットワークを介して前記レシート情報管理サーバと相互通信を行って、前記記憶部に保持されているレシートの情報の読み出しおよび変更する情報端末、をさらに備えたことを特徴とする。
【００３３】
この請求項１２にかかる発明によれば、情報端末が、記憶部に保持されているレシート情報の読み出しおよび変更するようにしている。
【００３４】
また、請求項１３にかかる発明は、請求項１２にかかるレシート情報収集処理システムにおいて、情報端末を操作しているユーザが自システムを使用可能であることを確認できた場合だけ、記憶部に保持されている情報の読み出しおよび変更を許可するようにしている。
【発明の効果】
【００３５】
請求項１にかかる発明によれば、画像入力装置がレシートに記載されている情報を読み取って、読み取ったレシートの情報を記憶部に保持するようにしているため、支援ソフトや、自宅の家計簿作成環境、さらには、携帯電話の新規購入などの条件に左右されずに、簡単に家計の支出を管理することができるという効果を奏する。
【００３６】
また、請求項２にかかる発明によれば、画像入力装置をレシートを発行する店舗に設置するようにしているため、ユーザは、商品購入時点でその情報を入力する事が出来、レシートの紛失による支出管理の失敗や、レシートを自宅に持ち帰る必要をなくすことができるという効果を奏する。
【００３７】
また、請求項３にかかる発明によれば、レシートの情報を画像情報で記憶部に保持するようにしているため、簡潔で、安価なシステムを提供することができるという効果を奏する。
【００３８】
また、請求項４にかかる発明によれば、画像入力装置は、レシートに記載されている情報を画像情報として読み取り、読み取った画像情報から文字情報を抽出して、抽出した文字情報を記憶部に保持するようにしているため、保持されたデータの取り扱いを簡単にし、ユーザの利便性を向上することができるという効果を奏する。
【００３９】
また、請求項５にかかる発明によれば、画像入力装置は、レシートに記載されている情報を画像情報として読み取り、レシート情報管理サーバが、画像入力装置が読み取った画像情報から文字情報を抽出して、抽出した文字情報を記憶部に保持するようにしているため、保持されたデータの取り扱いを簡単にし、ユーザの利便性を向上することができるという効果を奏する。
【００４０】
また、請求項６にかかる発明によれば、レシートの情報に対応して、レシートの情報を入手した時間を記憶部に保持するようにしているため、いつ商品を購入したかという情報をいちいち入力する必要性を無くし、ユーザの利便性を向上することができるという効果を奏する。
【００４１】
また、請求項７にかかる発明によれば、レシートの情報に対応して、レシート情報を読み取った場所を特定する情報を記憶部に保持するようにしているため、商品を何処で購入したか、または、何処で情報を入力したかを入力する必要性を無くなり、ユーザの利便性を向上することができるという効果を奏する。
【００４２】
また、請求項８にかかる発明によれば、レシートを読み取った場所を特定する情報はレシートの情報を読み取った場所、レシートが発行された店舗、画像入力装置を識別する情報の少なくとも１つとするようにしているため、商品を何処で購入したか、または、何処で情報を入力したかを入力する必要性が無くなり、ユーザの利便性を向上することができるという効果を奏する。
【００４３】
また、請求項９にかかる発明によれば、取り扱うレシートは画像入力装置が設置されている店舗が発行したレシートに限定するようにしているため、店舗は、他店舗にはない特徴を出して、他店舗との差別化をすることができるとともに、システムとしてはレシート全てのフォーマットに対応する必要を無くなり、レシートの読み取り誤差が低減して、より信頼性が高くすることができるという効果を奏する。
【００４４】
また、請求項１０にかかる発明によれば、画像入力装置は、読み取ったレシートの情報を表示するようにしているため、ユーザは、レシートの情報に誤りがないかを確認することができるという効果を奏する。
【００４５】
また、請求項１１にかかる発明によれば、画像入力装置から任意の情報を入力して、レシートの情報と対応して、入力した任意の情報を記憶部に保持するようにしているため、収入に対する支出の関係をすぐに把握でき、ユーザの利便性を向上することができるという効果を奏する。
【００４６】
また、請求項１２にかかる発明によれば、情報端末が、記憶部に保持されているレシート情報の読み出しおよび変更するようにしているため、ユーザの便利性を向上することができるという効果を奏する。
【００４７】
また、請求項１３にかかる発明によれば、情報端末を操作しているユーザが自システムを使用可能であることを確認できた場合だけ、記憶部に保持されている情報の読み出しおよび変更を許可するようにしているため、保持されている情報にアクセスするユーザが明確となり、セキュリティーの面で安全であるという効果を奏する。
【発明を実施するための最良の形態】
【００４８】
以下に添付図面を参照して、この発明にかかるレシート情報収集処理システムの最良な実施の形態を詳細に説明する。
【実施例１】
【００４９】
図１〜図３を用いてこの発明の実施例１を説明する。図１は、この発明における実施例１のレシート情報収集処理システムの構成を示す図である。この発明における実施例１のレシート情報収集処理システムは、複数（この場合は３台）の画像読み取り端末１０ａ〜１０ｃと、複数（この場合は３台）のパーソナルコンピュータ端末（以下ＰＣ端末とする）２０ａ〜２０ｃと、レシート情報管理サーバ４０とが、ネットワーク３０を介して接続されている。なお、画像読み取り端末が特許請求の範囲でいうところの画像入力装置であり、ＰＣ端末が特許請求の範囲でいうところの情報端末である。
【００５０】
画像読み取り端末１０ａ〜１０ｃは、すべて同じ機能を備えており、たとえば、ＣＣＤ（Charge-Coupled Device）を用いてレシートを読み取る小型のスキャナであり、読み取ったレシートの情報をネットワーク３０を介してレシート情報管理サーバ４０に送信する。なお、レシートの情報の読み取りはＣＣＤに限るものではなく、レシートの情報を読み取り、読み取った情報をデジタル処理可能な入力手段であればよい。
【００５１】
レシート情報管理サーバ４０は、あらかじめレシート情報収集処理システムに契約しているユーザ毎のレシートの情報を保存する顧客データベース５０（特許請求の範囲でいうところの記憶部）を有し、ネットワーク３０を介して送信されたレシートの情報を顧客毎に管理する。
【００５２】
ＰＣ端末２０ａ〜２０ｃは、すべて同じ機能を備えている。ＰＣ端末２０ａ〜２０ｃは、ネットワーク３０を介してレシート情報管理サーバ４０と相互通信を行い、顧客データベース５０に保存されているレシートの情報を表示する。また、ＰＣ端末２０ａのキーボードなどの入力手段を用いて、表示されたレシートの情報を変更する。ＰＣ端末２０ａ〜０ｃは、ユーザが所有してもよいし、インターネットカフェ、ショールーム、コンビニエンスストアなどに設置されている不特定多数がアクセス可能な共通端末であってもよい。
【００５３】
図２および図３のフローチャートを参照して、この発明における実施例１のレシート情報収集システムの動作を説明する。まず、図２のフローチャートを参照して、レシートの情報を顧客データベース５０に保存する動作を説明する。なお、ここでは、ユーザが画像読み取り端末１０ａを所持しているものとして説明するが、画像読み取り端末１０ｂ，１０ｃでも同様のものとなる。
【００５４】
あらかじめレシート情報収集処理システムに契約しているユーザは、画像読み取り端末１０ａを所持している。ユーザは、商品を購入した際にレシートを受け取る（ステップＳ１００）。ユーザは、受け取ったレシートを画像読み取り端末１０ａにセットする。
【００５５】
画像読み取り端末１０ａは、セットされたレシートの情報を読み取って、読み取ったレシートの情報を電子化する（ステップＳ１１０）。画像読み取り端末１０ａは、ネットワーク３０にアクセスして（ステップＳ１２０）、レシート情報管理サーバ４０に接続する（ステップＳ１３０）。画像読み取り端末１０ａは、電子化したレシートの情報をレシート情報管理サーバ４０に送信する（ステップＳ１４０）。
【００５６】
レシート情報管理サーバ４０は、画像読み取り端末１０ａから送信されたレシートの情報を受信して、受信したレシートの情報を顧客データベース５０に保存する（ステップＳ１５０）。
【００５７】
このようにユーザは、商品を購入した際に受け取ったレシートを画像読み取り端末１０ａにセットするだけで、レシートの情報を顧客データベース５０に保存することができる。
【００５８】
なお、画像読み取り端末１０ａ〜１０ｃに、自装置を識別するための情報、たとえば、ＩＤを付しておき、レシートの情報を送信する際に、自装置のＩＤも送信するようにして、レシート情報管理サーバ４０は、レシートの情報と対応して、レシート情報を送信した画像読み取り端末のＩＤを顧客データベース５０に保持するようにしてもよい。
【００５９】
つぎに、図３のフローチャートを参照して、顧客データベース５０に保存されたレシートの情報を閲覧する動作を説明する。なお、ここでは、ユーザがＰＣ端末２０ａを使用してレシートの情報を閲覧するものとして説明するが、ＰＣ端末２０ｂ，２０ｃでも同様のものとなる。
【００６０】
ユーザは、ＰＣ端末２０ａを用いてネットワーク３０にアクセスして（ステップＳ２００）、レシート情報管理サーバ４０を呼び出す（ステップＳ２１０）。
【００６１】
レシート情報管理サーバ４０は、本人確認情報の入力をＰＣ端末２０ａに表示する（ステップＳ２２０）。本人確認情報とは、たとえば、予め登録されているＩＤコードやパスワードなど、レシート情報収集処理システムに契約している本人であることを確認できる情報である。
【００６２】
ユーザは、ＰＣ端末２０ａのキーボードなどの入力手段を用いて本人確認情報を入力する。レシート情報管理サーバ４０は、入力された本人確認情報と予め登録されている本人情報とを比較する。比較の結果、入力された本人確認情報が予め登録されている本人確認情報と一致した場合には（ステップＳ２３０，Ｙｅｓ）、本人確認情報で確認したユーザのレシートの情報を顧客データベース５０から読み出して、読み出したレシート情報をＰＣ端末２０ａに表示する（ステップＳ２４０）。
【００６３】
ユーザは、ＰＣ端末２０ａに表示されたレシートの情報の内容確認、修正または保存する（ステップＳ２５０）。
【００６４】
一方、入力された本人確認情報が予め登録されている本人確認情報と一致しない場合（ステップＳ２３０，Ｎｏ）、レシート情報管理サーバ４０は、不当なアクセスであると判断して、処理を終了する。
【００６５】
このように顧客データベース５０にアクセスするユーザが明確となり、セキュリティーの面で安心である。
【００６６】
以上説明したようにこの実施例１では、画像読み取り端末がレシートに記載されている情報を読み取って、読み取ったレシートの情報を顧客データベースに保持するようにしているため、支援ソフトや、自宅の家計簿作成環境、さらには、携帯電話の新規購入などの条件に左右されずに、簡単に家計の支出を管理することができる。
【００６７】
また、ＰＣ端末を操作しているユーザがシステムを使用可能であることを確認できた場合だけ、顧客データベースに保持されている情報の読み出しおよび変更を許可するようにしているため、保持されている情報にアクセスするユーザが明確となり、セキュリティーの面で安全である。
【００６８】
なお、図４に示すように、百貨店、スーパーマーケット、コンビニエンスストア、個人商店などレシートを発行する複数（この場合は３店）の店舗６０ａ〜６０ｃに、画像読み取り端末１０ａ〜１０ｃを設置するようにしてもよい。また、画像読み取り端末は１店舗に複数台設置してもよい。この場合、画像読み取り端末１０ａ〜１０ｃが自装置を識別するための情報をレシートの情報と一緒にレシート情報管理サーバ４０に送信するようにすれば、レシートの情報がどの店舗のものであるかを、すなわち入力場所を特定することもできる。
【００６９】
このように画像読み取り端末が店舗に設置されていれば、ユーザは、レシートを持ち歩くことなくレシートの情報を顧客データベースに保存することが可能となり、レシートの紛失や、自宅後にレシートを整理するという煩雑な作業をなくすことができる。
【００７０】
また、画像読み取り端末が店舗に設置されているので、ユーザ側は、画像読み取り端末を準備する必要がない。そのため、ユーザは余計な費用が発生することなく、かつユーザのＰＣ端末の環境に影響されることなくレシート情報収集システムを利用することができる。
【００７１】
なお、現状の店舗の設備として、ＰＯＳ（Point-Of-Sale）システムなどがある場合、ＰＯＳシステムを改良してこの発明におけるレシート情報収集システムと同等のサービスを提供することは技術的に可能であるが、ＰＯＳシステムの改良という多大な設備投資が必要となってしまう。しかし、図４に示したレシート情報収集システムでは、店舗側は、現状の店舗の設備如何にかかわらず、画像読み取り端末を設置して、設置した画像読み取り端末をネットワークに接続するという最低限の設備投資で、ユーザに対してレシート情報収集システムの利用が可能であることをアピールして、集客力を向上することができる。
【実施例２】
【００７２】
図５を用いてこの発明の実施例２を説明する。この発明における実施例２のレシート情報収集処理システムの構成は、図１または図２に示すものと同様となるので、ここではその説明を省略する。
【００７３】
図５のフローチャートを参照して、この発明における実施例２の情報収集処理システムがレシートの情報を顧客データベース５０に保存する動作を説明する。ユーザは、商品を購入した際にレシートを受け取って、受け取ったレシートを画像読み取り端末１０ａにセットする（ステップＳ３００）。
【００７４】
画像読み取り端末１０ａは、セットされたレシートの情報を読み取る（ステップＳ３１０）。画像読み取り端末１０ａは、レシートの情報をドットとして読み取り、このドットを順番道理に並べることで１枚の画像としてデータを読み取る。すなわち、画像読み取り端末１０ａは、レシートの情報を、たとえば、ビットマップ形式などの画像情報として読み取る。画像読み取り端末１０ａは、ネットワーク３０にアクセスして（ステップＳ３２０）、レシート情報管理サーバ４０に接続する（ステップＳ３３０）。画像読み取り端末１０ａは、レシートの情報を画像情報のままレシート情報管理サーバ４０に送信する（ステップＳ３４０）。
【００７５】
レシート情報管理サーバ４０は、画像読み取り端末１０ａから送信されたレシートの情報を受信して、受信したレシートの情報の画像情報を顧客データベース５０に保存する（ステップＳ３５０）。
【００７６】
顧客データベース５０に保存されたレシートの情報を閲覧する動作は、図３のフローチャートに示した閲覧処理と同様となるので、ここではその説明を省略するが、顧客データベース５０に保存されているレシートの情報が画像情報であるので、ＰＣ端末２０ａに表示されるレシートの情報は、商品を購入した際に受け取ったレシートそのままの形となる。
【００７７】
このようにこの実施例２では、レシートの情報を画像情報として扱うようにしているため、ユーザはレシートの形のまま閲覧することが可能となり、違和感なく、忘備録として利用することができる。
【００７８】
また、画像読み取り端末が読み取ったままの画像情報を扱うようにしているため、必要最低限の機能を備えるだけでよく、低コストでシステムを構築することができる。
【実施例３】
【００７９】
図６を用いてこの発明の実施例３を説明する。この発明における実施例３のレシート情報収集処理システムの構成は、図１または図２に示すものと同様となるので、ここではその説明を省略する。
【００８０】
画像読み取り端末１０ａ〜１０ｃは、実施例１の画像読み取り端末１０ａ〜１０ｃの機能に加えて、ＯＣＲ（Optical Character Reader）処理により読み取った画像情報から文字情報を抽出する画像処理部を備えている。なお、ＯＣＲ処理は、ソフトウエアで実現しても、ハードウエアで実現してもよい。また、読み取った画像情報から文字情報を抽出するものであればＯＣＲ処理のアルゴリズムはどのようなものであってもよい。
【００８１】
図６のフローチャートを参照して、この発明における実施例３のレシート情報収集処理システムがレシートの情報を顧客データベース５０に保存する動作を説明する。ユーザは、商品を購入した際にレシートを受け取って、受け取ったレシートを画像読み取り端末１０ａにセットする（ステップＳ４００）。
【００８２】
画像読み取り端末１０ａは、セットされたレシートを画像情報として読み取る（ステップＳ４１０）。画像読み取り端末１０ａの画像処理部は、読み取ったレシートの画像情報にＯＣＲ処理を施して文字情報を抽出する（ステップＳ４２０）。画像読み取り端末１０ａは、ネットワーク３０にアクセスして（ステップＳ４３０）、レシート情報管理サーバ４０に接続する（ステップＳ４４０）。画像読み取り端末１０ａは、画像処理部によって抽出したレシートの文字情報をレシート情報管理サーバ４０に送信する（ステップＳ４５０）。
【００８３】
レシート情報管理サーバ４０は、画像読み取り端末１０ａから送信されたレシートの文字情報を受信して、受信したレシートの文字情報の画像情報を顧客データベース５０に保存する（ステップＳ４６０）。
【００８４】
顧客データベース５０に保存されたレシートの情報を閲覧する動作は、図３のフローチャートに示した閲覧処理と同様となるので、ここではその説明を省略するが、顧客データベース５０に保存されているレシートの情報が文字情報であるので、ＰＣ端末２０ａに表示されるレシートの情報は文字情報となる。
【００８５】
このようにこの実施例３では、画像読み取り端末の画像処理部が、読み取ったレシートの情報から文字情報を抽出するようにしているため、データの取り扱いが容易となり、ユーザの便利性を向上することができる。
【００８６】
また、文字情報は画像情報と比較してデータ量が少ないため、顧客データベース５０に保存するデータ量も少なくなり、レシート情報管理サーバの負荷を低減することができる。
【００８７】
さらに、レシートに記載されている文字は、商品名や金額のほかに、日時、場所、店舗などの情報がある。画像読み取り端末の画像処理部は、これらの情報も文字情報として抽出しているため、レシートの情報として顧客データベースに保存する。これにより、ユーザは、特に意識することなく、商品の購入場所や購入日時を閲覧することができ、簡単に収支情報を管理することができる。
【実施例４】
【００８８】
図７を用いてこの発明の実施例４を説明する。この発明における実施例４のレシート情報収集処理システムの構成は、図１または図２に示すものと同様となるので、ここではその説明を省略する。
【００８９】
レシート情報管理サーバ４０は、実施例１のレシート情報管理サーバ４０の機能に加えて、ＯＣＲ（Optical Character Reader）処理により画像読み取り端末１０ａ〜１０ｃから受信したレシートの情報である画像情報から文字情報を抽出する画像処理部を備えている。なお、ＯＣＲ処理は、ソフトウエアで実現しても、ハードウエアで実現してもよい。また、読み取ったドット情報から文字情報を抽出するものであればＯＣＲ処理のアルゴリズムはどのようなものであってもよい。
【００９０】
図７のフローチャートを参照して、この発明における実施例４のレシート情報収集処理システムがレシートの情報を顧客データベース５０に保存する動作を説明する。ユーザは、商品を購入した際にレシートを受け取って、受け取ったレシートを画像読み取り端末１０ａにセットする（ステップＳ５００）。
【００９１】
画像読み取り端末１０ａは、セットされたレシートを画像情報として読み取る（ステップＳ５１０）。画像読み取り端末１０ａは、ネットワーク３０にアクセスして（ステップＳ５２０）、レシート情報管理サーバ４０に接続する（ステップＳ５３０）。画像読み取り端末１０ａは、レシートの情報を画像情報のままレシート情報管理サーバ４０に送信する（ステップＳ５４０）。
【００９２】
レシート情報管理サーバ４０は、画像読み取り端末１０ａから送信されたレシートの画像情報を受信する。レシート情報管理サーバ４０の画像処理部は、受信したレシートの画像情報にＯＣＲ処理を施して文字情報を抽出する（ステップＳ５５０）。レシート情報管理サーバ４０は、抽出した文字情報を顧客データベース５０に保存する（ステップＳ５６０）。
【００９３】
顧客データベース５０に保存されたレシートの情報を閲覧する動作は、図３のフローチャートに示した閲覧処理と同様となるので、ここではその説明を省略するが、顧客データベース５０に保存されているレシートの情報が文字情報であるので、ＰＣ端末２０ａに表示されるレシートの情報は文字情報となる。
【００９４】
このようにこの実施例４では、レシート情報管理サーバの画像処理部が、受信したレシートの画像情報から文字情報を抽出するようにしているため、データの取り扱いが容易となり、ユーザの便利性を向上することができる。
【００９５】
また、レシート情報管理サーバが画像情報から文字情報を抽出するようにしているため、画像読み取り端末は読み取った画像情報から文字情報を抽出する画像処理部を備える必要がなくなり、画像読み取り端末のコストを低減することができる。
【００９６】
さらに、レシートに記載されている文字は、商品名や金額のほかに、日時、場所、店舗などの情報がある。レシート情報管理サーバは、これらの情報も文字情報として抽出しているため、レシートの情報として顧客データベースに保存する。これにより、ユーザは、特に意識することなく、商品の購入場所や購入日時を閲覧することができ、簡単に収支情報を管理することができる。
【実施例５】
【００９７】
図８を用いてこの発明の実施例５を説明する。この発明における実施例５のレシート情報収集処理システムの構成は、図１または図２に示すものと同様となるので、ここではその説明を省略する。
【００９８】
レシート情報管理サーバ４０は、実施例１のレシート情報管理サーバ４０の機能に加えて、日時を計時する時計部を備えている。
【００９９】
図８のフローチャートを参照して、この発明における実施例５のレシート情報収集処理システムがレシートの情報を顧客データベース５０に保存する動作を説明する。ユーザは、商品を購入した際にレシートを受け取って、受け取ったレシートを画像読み取り端末１０ａにセットする（ステップＳ６００）。
【０１００】
画像読み取り端末１０ａは、セットされたレシートの情報を読み取って、読み取ったレシートの情報を電子化する（ステップＳ６１０）。画像読み取り端末１０ａは、ネットワーク３０にアクセスして（ステップＳ６２０）、レシート情報管理サーバ４０に接続する（ステップＳ６３０）。画像読み取り端末１０ａは、電子化したレシートの情報をレシート情報管理サーバ４０に送信する（ステップＳ６４０）。
【０１０１】
レシート情報管理サーバ４０は、画像読み取り端末１０ａから送信されたレシートの情報を受信して、受信したレシートの情報を顧客データベース５０に保存する（ステップＳ６５０）。レシート情報管理サーバ４０は、顧客データベース５０にレシートの情報を保存する際に、時計部から現在時刻を読み出して、読み出した現在時刻をレシート情報に対応させて保存する（ステップＳ６６０）。
【０１０２】
顧客データベース５０に保存されたレシートの情報を閲覧する動作は、図３のフローチャートに示した閲覧処理と同様となるので、ここではその説明を省略するが、顧客データベース５０にはレシートの情報を保存した時刻情報も保存されているので、ＰＣ端末２０ａにはレシートの情報とそのレシート情報を保存した時刻情報とが表示される。
【０１０３】
このようにこの実施例５では、顧客データベースにレシート情報とそのレシートの情報を保存した時刻情報とを保存するようにしているため、ユーザは、レシートの情報を保存した日時を管理することなく、収支情報の管理を簡単に行うことができる。
【０１０４】
なお、この実施例５では、レシート情報管理サーバ４０に時計部を備えるようにしたが、画像読み取り端末１０ａ〜１０ｃに時計部を備え、レシートの情報を読み取った時刻を時刻情報としてレシート情報とともにレシート情報管理サーバ４０に送信して、レシートの情報と時刻情報とを顧客データベース５０に保存するようにしてもよい。これにより、ユーザは、レシートの情報を保存した日時を管理することなく、収支情報の管理を簡単に行うことができる。
【実施例６】
【０１０５】
実施例３では画像読み取り端末が、実施例４ではレシート情報管理サーバが、画像処理部を備え、レシートの画像情報にＯＣＲ処理を施して文字情報を抽出するようにした。しかしながら、レシートの記載フォーマットは多種多様であり、文字以外にも、ロゴマークなどの図形情報や、ユーザの収支情報とは直接関係しない広告などが記載されていることもある。そのため、レシートの画像情報にＯＣＲ処理を施して文字情報を抽出する際に、ユーザの収支情報に直接関係する部分だけを文字情報として抽出するためには、ＯＣＲ処理のソフトウエアの複雑さを招き、ＯＣＲ処理そのものの精度を低下させてしまう。この実施例６では、このような問題を改善するために、取り扱うレシートを画像読み取り端末が設置されている店舗が発行したレシートに限定することで、ＯＣＲ処理のソフトウエアを簡略化するとともに、ＯＣＲ処理の精度を高くするものである。
【０１０６】
図９を用いてこの発明の実施例６を説明する。この発明における実施例６のレシート情報収集処理システムの構成は、図２に示すものと同様となるので、ここではその説明を省略する。
【０１０７】
画像読み取り端末１０ａ〜１０ｃは、実施例１の画像読み取り端末１０ａ〜１０ｃの機能に加えて、読み取ったレシートの情報から使用可能なレシートであるか否かを判断する判定部を備えている。
【０１０８】
レシート情報管理サーバ４０は、実施例１のレシート情報管理サーバ４０の機能に加えて、ＯＣＲ（Optical Character Reader）処理により画像読み取り端末１０ａ〜１０ｃから受信したレシートの情報である画像情報から文字情報を抽出する画像処理部を備えている。なお、ＯＣＲ処理は、ソフトウエアで実現しても、ハードウエアで実現してもよい。また、読み取ったドット情報から文字情報を抽出するものであればＯＣＲ処理のアルゴリズムはどのようなものであってもよい。また、画像読み取り端末１０ａ〜１０ｃが設置されている店舗６０ａ〜６０ｃのそれぞれが発行するレシートの記載フォーマットの中のどの部分に必要な情報があるかを記憶している。
【０１０９】
図９のフローチャートを参照して、この発明における実施例６のレシート情報収集処理システムがレシートの情報を顧客データベース５０に保存する動作を説明する。
【０１１０】
ユーザは、商品を購入した際にレシートを受け取って、受け取ったレシートを店舗６０ａに設置されている画像読み取り端末１０ａにセットする。
【０１１１】
画像読み取り端末１０ａは、セットされたレシートの情報を読み取る（ステップＳ７００）。画像読み取り端末１０ａの判断部は、読み取ったレシートの情報が画像読み取り端末１０ａが設置されている店舗６０ａが発行したレシートの情報であるかを判断する（ステップＳ７１０）。具体的には、たとえば、画像読み取り端末１０ａの判断部は、店舗６０ａが発行するレシートに記載される店舗６０ａのロゴマークを記憶しておき、読み取ったレシートの画像情報の中に、記憶しているロゴマークと一致する部分があるかどうかを判断する。
【０１１２】
判断の結果、読み取ったレシートが画像読み取り端末１０ａが設置されている店舗６０ａのレシートである場合（ステップＳ７２０，Ｙｅｓ）、画像読み取り端末１０ａは、ネットワーク３０にアクセスして、レシート情報管理サーバ４０に接続する。画像読み取り端末１０ａは、レシートの情報を画像情報のままレシート情報管理サーバ４０に送信する。
【０１１３】
レシート情報管理サーバ４０は、画像読み取り端末１０ａから送信されたレシートの画像情報を受信する。レシート情報管理サーバ４０の画像処理部は、受信したレシートの画像情報にＯＣＲ処理を施して文字情報を抽出する。このとき、レシート情報管理サーバ４０は、記憶している店舗６０ａのレシートの記載フォーマットの情報に基づいて、ユーザの収支情報に関する部分から文字情報を抽出する。レシート情報管理サーバ４０は、抽出した文字情報を顧客データベース５０に保存する（ステップＳ７３０）。
【０１１４】
一方、判定の結果、読み取ったレシートが画像読み取り端末１０ａが設置されている店舗６０ａのレシート以外場合（ステップＳ７２０，Ｎｏ）、画像読み取り端末１０ａは、レシートの入力受付を不許可として（ステップＳ７４０）処理を終了する。
【０１１５】
顧客データベース５０に保存されたレシートの情報を閲覧する動作は、図３のフローチャートに示した閲覧処理と同様となるので、ここではその説明を省略する。
【０１１６】
このようにこの実施例６では、取り扱うレシートは画像入力装置が設置されている店舗が発行したレシートに限定するようにしているため、店舗は、他店舗にはない特徴を出して、他店舗との差別化をすることができるとともに、システムとしてはレシート全てのフォーマットに対応する必要を無くなり、レシートの読み取り誤差が低減して、より信頼性を高めることができる。
【０１１７】
なお、この実施例６では、レシートを限定する情報としてロゴマークを例に挙げて説明したが、レシートを限定する情報はロゴマークに限るものではなく、店舗が特定できる情報であればよい。
【実施例７】
【０１１８】
図１０〜図１２を用いてこの発明の実施例７を説明する。図１０は、この発明における実施例７のレシート情報収集処理システムの画像読み取り端末の構成を示すブロック図である。この発明における実施例７のレシート情報収集処理システムは、図１に示した実施例１のレシート情報収集処理システムの画像読み取り端末１０ａ〜１０ｃの代わりに、画像読み取り端末７０ａ〜７０ｃを備えている。図１に示した実施例１と同じ機能を持つ構成部分には同一符号を付し、重複する説明は省略する。なお、画像読み取り端末７０ａ〜７０ｃは、ユーザが所有してもよいし、店舗に設置してもよい。
【０１１９】
画像読み取り端末７０ａ〜７０ｃは、すべて同じ機能を備えている。ここでは、図１１に示した画像読み取り端末７０ａの構成を示すブロック図を参照して、画像読み取り端末の機能を説明する。
【０１２０】
画像読み取り端末７０ａは、読み取り部７１と、表示部７２と、入力部７３と、制御部７４とを備えている。読み取り部７１は、たとえば、ＣＣＤ（Charge-Coupled Device）などで構成され、レシートの情報を読み取る読み取り手段として使用される。表示部７２は、ＣＲＴ（Cathode-Ray Tube）、液晶ディスプレーなどで構成され、読み取り部７１によって読み取ったレシートの情報の表示手段として使用される。入力部７３は、キーボードやマウスなど一般的な入力機器で構成され、レシートの情報を加工する入力手段として使用される。制御部７４は、画像読み取り端末７０ａ内の各構成要素の制御を統括的に行うとともに、読み取り部７１によって読み取ったレシートの画像情報から文字情報を抽出するＯＣＲ処理や、ネットワーク３０を介してレシート情報管理サーバ４０との通信するインターフェース機能を備えている。
【０１２１】
図１２のフローチャートを参照して、この発明における実施例７のレシート情報収集処理システムがレシートの情報を顧客データベース５０に保存する動作を説明する。ユーザは、商品を購入した際にレシートを受け取って、受け取ったレシートを画像読み取り端末７０ａにセットする（ステップＳ８００）。
【０１２２】
画像読み取り端末７０ａの読み取り部７１は、セットされたレシートの情報を読み取る（ステップＳ８１０）。画像読み取り端末７０ａの読み取り部７１は、レシートの情報をドットとして読み取り、このドットを順番道理に並べることで１枚の画像としてデータを読み取る。すなわち、画像読み取り端末７０ａの読み取り部７１は、レシートの情報を、たとえば、ビットマップ形式などの画像情報として読み取る。
【０１２３】
画像読み取り端末７０ａの制御部７４は、画像読み取り端末７０ａの読み取り部７１が読み込んだ画像情報にＯＣＲ処理を施して、画像情報から文字情報を抽出する（ステップＳ８２０）。画像読み取り端末７０ａの制御部７４は、抽出した文字情報を表示部７２に表示する（ステップＳ８３０）。
【０１２４】
ユーザは、画像読み取り端末７０ａの表示部７２に表示されたレシートの文字情報を確認する。文字情報を加工したい場合、ユーザは、画像読み取り端末７０ａの入力部７３を用いて、レシートの文字情報を加工する（ステップＳ８４０）。画像情報から文字情報を抽出するＯＣＲ処理は、多種多様なアルゴリズムが提案されているが、１００％の確立で画像情報から文字情報を抽出できるとは限らない。ユーザは、画像読み取り端末７０ａの表示部に表示されたレシートの文字情報、たとえば、商品を購入した店舗、商品名、商品の金額などに誤りがないかを確認して、誤りがあった場合には、画像読み取り端末７０ａの入力部７３を用いて文字情報を加工する。
【０１２５】
画像読み取り端末７０ａの制御部７４は、文字情報の加工が終了したことを確認した後に、ネットワーク３０にアクセスして、レシート情報管理サーバ４０に接続する。画像読み取り端末７０ａの制御部７４は、加工された文字情報をレシート情報管理サーバ４０に送信する。
【０１２６】
レシート情報管理サーバ４０は、加工された文字情報を受信して、受信した文字情報を顧客データベース５０に保存する（ステップＳ８５０）。
【０１２７】
顧客データベース５０に保存されたレシートの情報を閲覧する動作は、図３のフローチャートに示した閲覧処理と同様となるので、ここではその説明を省略する。
【０１２８】
このようにこの実施例７では、読み取ったレシートの画像情報から抽出した文字情報を表示するようにしているため、ユーザがレシートを読み取った情報に誤りがないかを確認することが可能となり、レシート情報収集システムの信頼性を高めることができる。
【０１２９】
なお、この実施例７では、画像読み取り端末７０ａが読み取ったレシートの画像情報にＯＣＲ処理を施して文字情報を抽出し、抽出した文字情報をユーザが加工してレシート情報管理サーバ４０に送信するようにしたが、ＯＣＲ処理をレシート情報管理サーバ４０が行うようにしてもよい。具体的には、画像読み取り端末７０ａは、読み取った画像情報をレシート情報管理サーバ４０に送信し、レシート情報管理サーバ４０が受信した画像情報にＯＣＲ処理を施して文字情報を抽出し、ネットワーク３０を介して画像読み取り端末７０ａの表示部７２に文字情報を表示する。ユーザは、画像読み取り端末７０ａの入力部７３を用いて、ネットワーク３０を介してレシート情報管理サーバ４０の文字情報を加工し、レシート情報管理サーバ４０は、加工された文字情報を顧客データベース５０に保存する。このようにしても、ユーザがレシートを読み取った情報に誤りがないかを確認することが可能となり、レシート情報収集システムの信頼性を高めることができる。
【実施例８】
【０１３０】
図１３を用いてこの発明の実施例８を説明する。この発明における実施例８のレシート情報収集処理システムの構成は、図１０に示すものと同様となるので、ここではその説明を省略する。
【０１３１】
図１３のフローチャートを参照して、この発明における実施例８のレシート情報収集処理システムがレシートの情報を顧客データベース５０に保存する動作を説明する。ユーザは、商品を購入した際にレシートを受け取って、受け取ったレシートを画像読み取り端末７０ａにセットする（ステップＳ９００）。
【０１３２】
画像読み取り端末７０ａの読み取り部７１は、セットされたレシートの情報を画像情報として読み取る（ステップＳ９１０）。画像読み取り端末７０ａの制御部７４は、画像読み取り端末７０ａの読み取り部７１が読み込んだ画像情報にＯＣＲ処理を施して、画像情報から文字情報を抽出する（ステップＳ９２０）。画像読み取り端末７０ａの制御部７４は、抽出した文字情報を表示部７２に表示する（ステップＳ９３０）。
【０１３３】
ユーザは、画像読み取り端末７０ａの表示部７２に表示されたレシートの文字情報を確認して、文字情報を加工したい場合には、画像読み取り端末７０ａの入力部７３を用いてレシートの文字情報を加工する。また、ユーザは、画像読み取り端末７０ａの入力部７３を用いて、たとえば、収入などの情報を入力する（ステップＳ９４０）。一般的に、家計簿等を作成する場合、収入情報を基にして、支出を収入から減算して現状の家計状況を把握することが多い。ユーザは、家計状況を把握するために必要な付加情報を画像読み取り端末７０ａの入力部７３を用いて入力する。
【０１３４】
画像読み取り端末７０ａの制御部７４は、画像読み取り端末７０ａの入力部７３からの情報の入力が終了したことを確認した後に、ネットワーク３０にアクセスして、レシート情報管理サーバ４０に接続する。画像読み取り端末７０ａの制御部７４は、レシートの文字情報および付加情報をレシート情報管理サーバ４０に送信する。
【０１３５】
レシート情報管理サーバ４０は、文字情報および付加情報を受信して、受信した文字情報および付加情報を顧客データベース５０に保存する（ステップＳ９５０）。
【０１３６】
顧客データベース５０に保存されたレシートの情報を閲覧する動作は、図３のフローチャートに示した閲覧処理と同様となるので、ここではその説明を省略するが、顧客データベース５０にはレシートの文字情報および付加情報が保存されているのでＰＣ端末２０ａにはレシートの文字情報および付加情報が表示される。
【０１３７】
このようにこの実施例８では、レシートの情報に加えて、家計情報を把握するために必要な付加情報を入力するようにしているため、ユーザは現状の収支の関係をすぐに把握することができ、利便性を向上することができる。
【０１３８】
なお、この実施例８では、画像読み取り端末７０ａが読み取ったレシートの画像情報にＯＣＲ処理を施して文字情報を抽出し、抽出した文字情報をユーザが加工するとともに付加情報を入力し、文字情報と付加情報をレシート情報管理サーバ４０に送信するようにしたが、ＯＣＲ処理および付加情報の入力表示などをネットワーク３０を介してレシート情報管理サーバ４０が行うようにしてもよい。このようにしても、レシートの情報および付加情報を顧客データベース５０に保存することが可能であり、ユーザは現状の収支の関係をすぐに把握することができ、利便性を向上することができる。
【産業上の利用可能性】
【０１３９】
以上のように、本発明にかかるレシート情報収集処理システムは、収支管理に有用であり、特に、家計簿に適している。
【図面の簡単な説明】
【０１４０】
【図１】この発明における実施例１のレシート情報収集処理システムの構成の一例を示す図である。
【図２】この発明における実施例１のレシート情報収集処理システムの動作を説明するためのフローチャートである。
【図３】この発明における実施例１のレシート情報収集処理システムの動作を説明するためのフローチャートである。
【図４】この発明における実施例１のレシート情報収集処理システムの構成の一例を示す図である。
【図５】この発明における実施例２のレシート情報収集処理システムの動作を説明するためのフローチャートである。
【図６】この発明における実施例３のレシート情報収集処理システムの動作を説明するためのフローチャートである。
【図７】この発明における実施例４のレシート情報収集処理システムの動作を説明するためのフローチャートである。
【図８】この発明における実施例５のレシート情報収集処理システムの動作を説明するためのフローチャートである。
【図９】この発明における実施例６のレシート情報収集処理システムの動作を説明するためのフローチャートである。
【図１０】この発明における実施例７のレシート情報収集処理システムの構成を示す図である。
【図１１】図１０に示した画像読み取り端末の構成を示す図である。
【図１２】この発明における実施例７のレシート情報収集処理システムの動作を説明するためのフローチャートである。
【図１３】この発明における実施例８のレシート情報収集処理システムの動作を説明するためのフローチャートである。
【符号の説明】
【０１４１】
１０ａ，１０ｂ，１０ｃ，７０ａ，７０ｂ，７０ｃ  画像読み取り端末
２０ａ，２０ｂ，２０ｃ  ＰＣ端末
３０  ネットワーク
４０  レシート情報管理サーバ
５０  顧客データベース
６０ａ，６０ｂ，６０ｃ  店舗
７１  読み取り部
７２  表示部
７３  入力部
７４  制御部
【図１】
2005092635.tif 000003
【図２】
2005092635.tif 000004
【図３】
2005092635.tif 000005
【図４】
2005092635.tif 000006
【図５】
2005092635.tif 000007
【図６】
2005092635.tif 000008
【図７】
2005092635.tif 000009
【図８】
2005092635.tif 000010
【図９】
2005092635.tif 000011
【図１０】
2005092635.tif 000012
【図１１】
2005092635.tif 000013
【図１２】
2005092635.tif 000014
【図１３】
2005092635.tif 000015